(57)【特許請求の範囲】
【請求項１】
互いに組み付けられた第１部材及び第２部材を備え、
前記第１部材は、
軒天井板材の一端部をその開口から嵌入させる溝部と、
前記溝部の開口側とは反対方向に向かって前記溝部から延設され、換気孔が形成された換気板部と、
前記換気板部から上方に延設された側板部と、
前記換気板部の上方において前記換気孔に対向するように、前記側板部から延設され、前記溝部と離間して形成される取付板部と、を有し、
前記第２部材は、
前記取付板部の外側に、前記溝部との間に軒天井側通気口を形成するように重ねられる上板部と、
前記側板部の外側を覆うように、前記上板部から下方に延設された横板部と、
前記換気板部の下方において、前記換気孔に対向するように、前記横板部から延設され、前記換気板部と離間して配置されることで、前記換気板部との間に外部側通気口を形成する遮蔽板部と、を有する、
ことを特徴とする軒天換気材。
【請求項２】
前記横板部は、水平方向内側に入り込んだ段部を有し、この段部における前記換気板部より下方の位置に通気孔が形成されている、
ことを特徴とする請求項１に記載の軒天換気材。
【請求項３】
前記横板部は、水平方向内側に入り込むように傾斜部を有し、この傾斜部における前記換気板部より下方の位置に通気孔が形成されている、
ことを特徴とする請求項１に記載の軒天換気材。
【請求項４】
前記段部は、下方に向かって水平方向外側に張り出す傾射部を有し、この傾斜部に前記通気孔が形成されている、
ことを特徴とする請求項２に記載の軒天換気材。
【請求項５】
前記溝部の前記軒天井側通気口側に加熱膨張部材が取り付けられている、
ことを特徴とする請求項１から４の何れかに記載の軒天換気材。
【発明の詳細な説明】
【技術分野】
【０００１】
本発明は、建物の小屋裏の換気を行うための軒天換気材に関する。
【背景技術】
【０００２】
従来、木造住宅等の小屋裏（軒天井裏）の湿気や熱気を排出するために、軒先や軒下に設置する軒天換気材が用いられている。軒天換気材は、その換気口から軒天井裏に対して空気を流入させることで、軒天井裏を換気して、湿気や熱気を排出することができるようになっている。例えば、特許文献１で示す軒天換気材は、その深さ方向が水平方向に一致するように形成され、軒天井板材の一端部を嵌入させる溝部と、この溝部の下部からこの溝部の開口側とは反対側に向かって水平方向に延設され、換気口が形成された換気板部と、換気板部の溝部側とは反対側の一端から上方に延設された側板部と、この側板部の上部から溝部に向かって水平に延びるように設けられ、換気口と対向するように形成された遮蔽板部とを有しており、溝部の底面、換気板部、側板部、及び遮蔽板部で内部空間を形成している。遮蔽板部の溝部側の端部は、溝部と間隔を空けて形成されており、この間隔が軒天井側通気口となり、換気口から流入された空気が軒天換気材の内部空間（通気路）を通って軒天井側通気口を介して軒天井裏に流入するようになっている。
【先行技術文献】
【特許文献】
【０００３】
【特許文献１】特開２００３−２７６５２号公報
【発明の概要】
【発明が解決しようとする課題】
【０００４】
従来の軒天換気材は、外部に顕になっている部分（換気板部）に換気口が形成されており、換気性能が良いものの、換気口から雨水が内部に入り込み易く、火災時には炎が内部に入り込み易い。このため、軒天井裏に雨水や炎が侵入し易かった。また、炎が内部に入り込み易いことから、従来の軒天換気材を防火性軒天換気材とするためには、換気口の近傍に、熱等で膨張して炎の侵入を防ぐための加熱膨張部材を多く（複数個）取り付ける必要があった。また、換気口が外部から視認できるため、軒天換気材の美観を損ねていた。
【０００５】
そこで、本発明は、軒天井裏に雨水が侵入することを防止でき、加熱膨張部材を多く取り付けなくとも炎が侵入することを防止でき、美観に優れた軒天換気材を提供することを目的とするものである。
【課題を解決するための手段】
【０００６】
（１）上記課題を解決するために、本発明に係る軒天換気材は、互いに組み付けられた第１部材及び第２部材を有する。
前記第１部材は、
軒天井板材の一端部をその開口から嵌入させる溝部と、
前記溝部の開口側とは反対方向に向かって前記溝部から延設され、換気孔が形成された換気板部と、
前記換気板部から上方に延設された側板部と、
前記換気板部の上方において前記換気孔に対向するように、前記側板部から延設され、前記溝部と離間して形成される取付板部と、を有する。
前記第２部材は、
前記取付板部の外側に、前記第１部材の前記溝部との間に軒天井側通気口を形成するように重ねられる上板部と、
前記側板部の外側を覆うように、前記上板部から下方に延設された横板部と、
前記換気板部の下方において、前記換気孔に対向するように、前記横板部から延設され、前記換気板部と離間して配置されることで、前記換気板部との間に外部側通気口を形成する遮蔽板部と、を有する。
【０００７】
上記構成によれば、遮蔽板部が換気板部の下方において換気孔に対向するように形成されているため、外部側通気口から流入した空気が屈曲して換気孔に入り込むようにすることができ、これによって、雨や炎が換気孔に入り込み難くなっており、軒天井裏に雨や炎を侵入し難くすることができる。このため、軒天換気材を防火性軒天換気材として使用する場合でも、加熱膨張部材の配置数を少なくすることができる。更に、遮蔽板部によって、換気孔が外部から視認し難くなるため、軒天換気材の美観が良くなる。
【０００８】
（２）また、上記横板部は、前記横板部は、水平方向内側に入り込んだ段部を有し、この段部における前記換気板部より下方の位置に通気孔が形成されている、ことを特徴としてもよい。
【０００９】
上記構成によれば、段部を設けたことで、軒天井に取付けたときに外壁又は鼻隠し板との間に空間を形成することができ、外部側通気口からの気流を通気孔及び換気孔の２方向に分岐させることができ、また、通気孔からの気流を外部側通気口及び換気孔の２方向に分岐させることができるため、軒天換気材内での風圧を分散させることができる。これによって、雨や炎等が軒天井側通気口から軒天井裏に侵入することをより一層防止することができる。
【００１０】
（３）上記横板部は、水平方向内側に入り込むように傾斜部を有し、この傾斜部における前記換気板部より下方の位置に通気孔が形成されている、ことを特徴としてもよい。
【００１１】
上記構成によれば、傾斜部を設けたことで、軒天井に取付けたときに外壁又は鼻隠し板との間に空間を形成することができ、外部側通気口からの気流を通気孔及び換気孔の２方向に分岐させることができ、また、通気孔からの気流を外部側通気口及び換気孔の２方向に分岐させることができるため、軒天換気材内での風圧を分散させることができる。これによって、雨や炎等が軒天井側通気口から軒天井裏に侵入することをより一層防止することができる。また、傾斜部に通気孔を設けているので、通気孔の開口面積を大きくすることができる。
【００１２】
（４）上記段部は、下方に向かって水平方向外側に張り出す傾射部を有し、この傾斜部に前記通気孔が形成されている、ことを特徴としてもよい。
【００１３】
上記構成によれば、段部の傾斜部に通気孔が形成されているため、遮蔽板部によって下方からも通気孔が視認し難くなり、軒天換気材の美観を向上することができる。また、傾斜部に通気孔を設けているので、通気孔の開口面積を大きくすることができる。
【００１４】
（５）上記溝部の前記軒天井側通気口側に加熱膨張部材が取り付けられている、ことを特徴としてもよい。
【００１５】
上記構成によれば、溝部の軒天井側通気口側に加熱膨張部材が取り付けられているため、火災時に、熱によって加熱膨張部材が膨張することで、軒天井側通気口を塞ぐことができる。なお、遮蔽板部によって、火災時でも炎が換気孔に入り込み難いので、溝部の軒天井側通気口側に加熱膨張部材を取り付けるだけで（軒天換気材の内部における他の部位には加熱膨張部材を取り付けなくても）、軒天井側通気口から軒天井裏に炎が侵入することを防止することができる。これによって、使用する加熱膨張部材の個数を減らすことができる。また、溝部の軒天井側通気口側に加熱膨張部材を取り付けるだけで良いため、第１部材と第２部材とを組み付ける前、及び組み付けた後のいずれの製造段階においても、加熱膨張材を容易に取り付けることが出来、製造工程の自由度が増す。
【発明の効果】
【００１６】
上記構成によれば、軒天井裏に雨水が侵入することを防止でき、加熱膨張部材を複数個取り付けなくとも炎が侵入することを防止でき、美観に優れた軒天換気材を提供することができる。
【図面の簡単な説明】
【００１７】
【図１Ａ】本実施形態に係る軒天換気材を建物の軒先に取り付けた状態を示す図である。
【図１Ｂ】本実施形態に係る軒天換気材を建物の壁際に取り付けた状態を示す図である。
【図２】本実施形態に係る軒天換気材の斜視図である。
【図３】本実施形態に係る軒天換気材の断面図である。
【図４】本実施形態に係る軒天換気材の第１部材の断面図である。
【図５】本実施形態に係る軒天換気材の第１部材の底面図である。
【図６】軒天換気材における第２部材の断面図である。
【図７】軒天換気材における第２部材の左側面図である。
【図８】軒天換気材における第２部材の背面図である。
【図９】軒天換気材における第２部材の底面図である。
【図１０】軒天換気材における空気の流れを示す図である。
【発明を実施するための形態】
【００１８】
以下、本発明の好適な一実施形態について、図面を参照しつつ説明する。
（軒天換気材の全体構成）
図１Ａから図３を用いて本実施形態にかかる軒天換気材の全体構成を説明する。図１Ａは、本実施形態に係る軒天換気材を建物の軒先に取り付けた状態を示す図である。図１Ｂは、本実施形態に係る軒天換気材を建物の壁際に取り付けた状態を示す図である。図２は、本実施形態に係る軒天換気材の斜視図である。なお、図２は、軒天換気材１を下方から視認した斜視図である。図３は、本実施形態に係る軒天換気材の断面図である。なお、図３は、前後方向に沿って垂直に軒天換気材１を切断した断面図である。また、本実施形態において、図３の左方が軒天換気材１の前方、図３の右方が軒天換気材１の後方、図３の上方が軒天換気材１の上方、図３の下方が軒天換気材１の下方、図３の奥方が軒天換気材１の右方、図３の手前が軒天換気材１の左方である。
【００１９】
図１Ａ、図１Ｂに示すように、本実施形態に係る軒天換気材１は、建物１００の屋根１０１の下に設置され、建物１００の軒天井裏（屋根裏）１００Ａの換気を行うための部材である。軒天換気材１の建物１００への取り付け構造を説明する。
建物１００では、外装材１０２（「外壁」の一例）が合板１０３Ａを介して柱１０３に取り付けられて垂直方向に立ち上がるように形成されているとともに、屋根１０１が外装材１０２から前方に突出して軒を形成している。屋根１０１において、垂木１０４が外装材１０２から前方に突出するように形成されており、垂木１０４の軒先側の先端には、鼻隠し下地１０５がビスＢ１を介して取り付けられ、この鼻隠し下地１０５には、鼻隠し板１０６が取り付けられている。そして、垂木１０４の下方において、建物１００の幅方向に延びる際野縁（野縁受け）１０７が軒先側及び壁際側に設けられている。なお、軒先側の際野縁１０７を、軒先際野縁１０７Ａと記載し、壁際側の際野縁１０７を、軒元際野縁１０７Ｂと記載する。本実施形態では、建物１００は野縁を有さないが、軒天換気材１はこの様な野縁を用いることなく建物１００に取り付けることができる。
【００２０】
軒先際野縁１０７Ａ及び軒元際野縁１０７Ｂのうち何れか一方には、軒天換気材１がビスＢ３を介して取り付けられ、他方には、垂木１０４と略平行に延びるように軒天井板材１０８がビスＢ４を介して取り付けられる。図１Ａは、軒天換気材１を軒先際野縁１０７Ａに取り付ける、すなわち、軒天換気材１を軒先側に取り付ける場合を示している。この場合には、軒先際野縁１０７Ａは、ビスＢ２によって鼻隠し下地１０５の下面に取り付けられ、軒先際野縁１０７Ａの下面に軒天換気材１（取付板部２４、上板部３１）がビスＢ３で固定される。また、軒元際野縁１０７Ｂの下面に対して、軒天井板材１０８の一端部がビスＢ４を介して固定され、軒天換気材１の他端部が軒天井板材１０８によって支持されることで、軒天井板材１０８が取り付けられる。軒天換気材１の換気板部２２の下面と、軒天井板材１０８の下面とが略同一平面に配置されるようになっている。
【００２１】
図１Ｂは、軒天換気材１を軒元際野縁１０７Ｂに取り付ける、すなわち、軒天換気材１を壁際側に取り付ける場合を示している。この場合には、軒元際野縁１０７Ｂは、ビスＢ２によって外装材１０２に取り付けられ、軒元際野縁１０７Ｂの下面に軒天換気材１（取付板部２４、上板部３１）がビスＢ３で固定される。また、軒先際野縁１０７Ａの下面に対して、軒天井板材１０８の一端部がビスＢ４を介して固定され、軒天井板材１０８の他端部が軒天井換気材１によって支持されることで、軒天井板材１０８が取り付けられる。軒天換気材１の換気板部２２の下面と、軒天井板材１０８の下面とが略同一平面に配置されるようになっている。なお、軒先際野縁１０７Ａは、鼻隠し下地１０５の後面に取り付けられる。
【００２２】
上述した、軒天換気材１の建物１００への取り付け構造は、一例であり、建物１００の軒１０１又は軒１０１の下に取り付けられて、軒天井裏１００Ａの換気を行うことができれば、軒天換気材１はどのように取り付けられてもよい。
【００２３】
図２で示すように、軒天換気材１は、互いに組み付けられた第１部材２及び第２部材３を有する。第１部材２は、軒天井板材１０８の一端部をその開口２１Ａから嵌入させる溝部２１と、溝部２１から溝部２１の開口２１Ａ側とは反対方向（前方）に向かって延設され、換気孔２２１が形成された換気板部２２と、換気板部２２から上方に延設された側板部２３と、換気板部２２の上方において換気孔２２１に対向するように、側板部２３から延設され、溝部２１と離間して形成されることで、溝部２１との間に軒天井側通気口Ｏ１を形成する取付板部２４と、を有する。第２部材３は、取付板部２４の外側に重ねられる上板部３１と、側板部２３の外側を覆うように、上板部３１から下方に延設された横板部３２と、換気板部２２の下方において、換気孔２２１に対向するように、横板部３２から延設され、換気板部２２と離間して配置されることで、換気板部２２との間に外部側通気口Ｏ２を形成する遮蔽板部３３と、を有する。
【００２４】
上記構成によれば、遮蔽板部３３が換気板部２２の下方において換気孔２２１に対向するように形成されているため、外部側通気口Ｏ２から流入した空気が屈曲して換気孔２２１に入り込むようにすることができ、これによって、雨や炎が換気孔２２１に入り込み難くなっており、軒天井裏１００Ａに雨や炎を侵入し難くすることができる。このため、軒天換気材１を防火性軒天換気材として使用する場合でも、加熱膨張部材２５の配置数を少なく（本実施形態では１つに）することができる。更に、遮蔽板部３３によって、換気孔２２１が外部から視認し難くなるため、軒天換気材１の美観が良くなる。
【００２５】
以下に、軒天換気材１の第１部材２及び第２部材３の構成について、詳細に説明する。
【００２６】
（軒天換気材１の第１部材２の構成）
以下に、図２から図５を用いて、第１部材２の構成を詳細に説明する。図４は、本実施形態に係る軒天換気材の第１部材２の断面図である。なお、図４は、前後方向に沿って垂直に第１部材２を切断した断面図（図５の軒天換気材１のＡ−Ａ矢視断面図）である。図５は、本実施形態に係る軒天換気材の第１部材２の底面図である。
上述したように、第１部材２は、溝部２１、換気板部２２、側板部２３、及び取付板部２４を備える。これらの第１部材２の各部の構成の詳細について以下に説明する。
【００２７】
（軒天換気材１の第１部材２の構成：溝部２１）
図２から図５を用いて、溝部２１の構成を詳細に説明する。溝部２１は、左右方向に延びる長尺状の断面視（前後方向に沿った垂直の断面視）で略コ字状の部材であり、後方に開口２１Ａが形成されるようになっている。溝部２１は、その板面を前後方向に向けて、垂直方向に起立するように形成された板状の溝底面２１１と、溝底面２１１の下縁Ｋ３から後方に向かって水平に延設された板状の下側溝壁部２１２と、溝底面２１１の上縁Ｋ５から後方に向かって水平に延設されて、後端が屈曲位置Ｋ６で折り返されて二重に形成された板状の上側溝壁部２１３とから成る。なお、上側溝壁部２１３の屈曲位置Ｋ６は、下側溝壁部２１２の後縁Ｋ４よりも後方に位置するようになっている。溝底面２１１、下側溝壁部２１２、及び上側溝壁部２１３に囲まれた空間内に、軒天井板材１０８の後端が嵌め入れられて、下側溝壁部２１２によって、軒天井板材１０８を支持することができるようになっている。
【００２８】
（軒天換気材１の第１部材２の構成：換気板部２２）
図２から図５を用いて換気板部２２の構成を詳細に説明する。換気板部２２は、左右方向に延びる長尺状の板状部材である。換気板部２２は、溝部２１における下側溝壁部２１２の下方において、下側溝壁部２１２の後縁Ｋ４から前方に水平に延設されるように形成されている。なお、換気板部２２の後部が下側溝壁部２１２と重なるように形成されている。図５で示すように換気板部２２には、複数個（例えば４個）の換気孔群２２１Ａが所定の間隔を空けて長手方向に並ぶように形成されている。各換気孔群２２１Ａは、前後方向に長いスリット状の換気孔２２１を複数個（例えば３０個）備えてなる。複数個の換気孔２２１は、長手方向に所定の間隔を空けて（例えば、等間隔に）並んで配置されている。また、換気孔２２１は、平面視で四角形状の貫通孔である。なお、本発明では、換気孔２２１の形状は、スリット状でなくてもよく、スリットとは言えない幅広の四角形状であっても、円形等であってもよい。また、換気孔２２１は、所定幅を開けて平行に切り込みが入れられ、押し込み加工されることで形成されてもよい。
【００２９】
また、換気板部２２は、その前端部の位置であり、かつ、左右方向において２つの換気孔群２２１Ａの間の位置に、取付作業用孔２２１Ｂを有する。換気板部２２の前縁Ｋ２から前上方に向かって側板部２３が延設されているが、取付作業用孔２２１Ｂは換気板部２２の前端部から側板部２３の後端部に亘って形成されている。取付作業用孔２２１Ｂは、平面視で略円形の貫通孔であり、軒天換気材１をビスＢ３で際野縁１０７に取り付けるための作業用の孔である。なお、取付作業用孔２２１Ｂは、平面視で略円形でなくてもよく、どのような形状であってもよい。
【００３０】
（軒天換気材１の第１部材２の構成：側板部２３）
図２から図５を用いて側板部２３の構成を詳細に説明する。側板部２３は、左右方向に延びる長尺状の板状部材である。側板部２３は、上述したように、換気板部２２の前縁Ｋ２から、前方に向かって水平面を基準として斜め上方に延設されるように形成されている。換気板部２２と側板部２３との角度は、例えば略１５４度になっている。側板部２３は、その前後方向において、略中央の位置に、取付作業用孔２３１が形成されている。取付作業用孔２３１は、左右方向に並ぶように複数個（例えば３個）形成されている。複数個の取付作業用孔２３１は、左右方向において、換気板部２２における複数個の取付作業用孔２２１Ｂと略同じ位置に形成されている。取付作業用孔２３１は、平面視で略円形の貫通孔であり、軒天換気材１をビスＢ３で際野縁１０７に取り付けるための作業用の孔である。なお、取付作業用孔２３１は、平面視で略円形でなくてもよく、どのような形状であってもよい。
【００３１】
（軒天換気材１の第１部材２の構成：取付板部２４）
図２から図５を用いて取付板部２４の構成を詳細に説明する。取付板部２４は、左右方向に延びる長尺状の板状部材である。取付板部２４は、その板面が上下方向に向くように形成されている。取付板部２４は、換気板部２２の上縁Ｋ１から、後方に向かって延設されるように形成されている。取付板部２４の下面、側板部２３の後面、換気板部２２の上面、及び溝底面２１１の前面によって、第１部材２の内部空間Ｏ４を形成している。取付板部２４の後縁Ｋ０は、溝部２１の溝底面２１１より前方に位置するように形成されており、これによって、後縁Ｋ０と溝底面２１１の上縁Ｋ５の間において、軒天換気材１の内部と軒天井裏１００Ａとを連通する軒天井側通気口Ｏ１が形成される。なお、溝部２１の軒天井側通気口Ｏ１側、すなわち、溝底面２１１の前面には、シート状の加熱膨張部材２５が貼着されている。加熱膨張部材２５は、加熱することで、厚さが数倍程度（例えば、１０倍程度）膨張して断熱層となり、例えば、セラミックファイバーに熱を受けて膨張する無機材料と少量の有機および無機結合材を混合して製造されている。この加熱膨張部材２５が火災時に膨張して、軒天井側通気口Ｏ１を塞ぎ、軒天井側通気口Ｏ１から炎が軒天井裏１００Ａに侵入することを防止することができる。
【００３２】
取付板部２４には、前後方向に並ぶように、取付用孔２４１及び取付用孔２４２が形成されている。取付用孔２４１及び取付用孔２４２は、左右方向に所定の間隔を空けて（例えば、等間隔に）並ぶように、複数個（例えば、３個）形成されている。取付用孔２４１及び取付用孔２４２は、左右方向において、取付作業用孔２２１Ｂ、２３１と略同一の位置に形成されている。取付用孔２４１は、取付用孔２４２よりも前方に形成されており、図１Ａで示すように、軒天換気材１を軒先に取り付ける際に、ビスＢ３を挿通させるための孔である。また、取付用孔２４２は、軒天換気材１を壁際に取り付ける際に、ビスＢ３を挿通させるための孔である。
【００３３】
（軒天換気材１の第２部材３の構成）
以下に、図６から図９を用いて、第２部材３の構成を詳細に説明する。図６は、軒天換気材１における第２部材３の断面図である。なお、図６は、前後方向に沿って垂直に第２部材３を切断した断面図（図９で示す軒天換気材１のＢ−Ｂ矢視断面図）である。図７は、軒天換気材１における第２部材３の左側面図である。図８は、軒天換気材１における第２部材３の背面図である。図９は、軒天換気材１における第２部材３の底面図である。
上述したように、第１部材２は、上板部３１、横板部３２、及び遮蔽板部３３を備え、更に、左右側側板部３４をその側部に備える。これらの第２部材３の各部の構成の詳細について以下に説明する。
【００３４】
（軒天換気材１の第２部材３の構成：上板部３１）
図６から９を用いて、上板部３１の構成を詳細に説明する。上板部３１は、左右方向に延びる長尺状の板状部材である。上板部３１は、その板面が上下方向に向くように形成されている。上板部３１は、その後端部が屈曲位置Ｋ１３で下側に折り返されて二重に形成されている。上板部３１は、図３で示すように、第１部材２と第２部材３とが組み付けられた場合に、第１部材２における取付板部２４の上に重ねて配置されるようになっている。上板部３１の屈曲位置Ｋ１３が、溝部２１の溝底面２１１より離間するように形成され、軒天井側通気口Ｏ１を塞がないようになっている。本実施形態では、上板部３１の後端Ｋ１３が第１部材２の取付板部２４の後縁Ｋ０よりも溝部２１側に張り出して重ねられるようにしているため、上板部３１の後端Ｋ１３と第１部材の溝部２１（上側溝壁部２１３の前端Ｋ５）との間に軒天井側通気口Ｏ１が形成されるようになっているが、取付板部２４の後縁Ｋ０のほうを溝部２１側に突出させるように上板部３１を取付板部２４に重ねるようにすることで、取付板部２４の後縁Ｋ０と溝部２１との間に軒天井側通気口Ｏ１を形成するようにしてもよい。
【００３５】
上板部３１の左縁、及び右縁には、前後方向の中央の位置に、それぞれ係止板部３１１が形成されている。なお、左縁側の係止板部３１１を係止板部３１１ｂとし、右縁側の係止板部３１１を係止板部３１１ａとする。係止板部３１１は、それぞれ、左右方向から見た場合に四角形状の板状部材であり、上板部３１の右縁又は左縁から下方に延設されるように形成されている。係止板部３１１は、第１部材２と第２部材３との組み付けのために、その根元から内側に向かって折り返され、係止板部３１１の内面で第１部材２における取付板部２４の下面を支持することが出来るようになっている。これによって、第１部材２と第２部材３とを互いに組み付けることができる。また、上板部３１には、前後方向に並ぶように取付用孔３１２と取付用孔３１３とが形成されている。取付用孔３１２及び取付用孔３１３は、左右方向に所定の間隔を空けて（例えば、等間隔に）並ぶように、複数個（例えば、３個）形成されている。第１部材２と第２部材３とを組み付ける場合に、取付用孔３１２は、取付用孔２４１と重なる位置に形成され、取付用孔３１３は、取付用孔２４２と重なる位置に形成されている。なお、取付用孔３１２、３１３は、略円形に形成されており、同じく略円形に形成されている取付用孔２４１、２４２よりも直径が大きくなっている。
【００３６】
取付用孔３１２は、取付用孔３１３よりも前方に形成されており、図１Ａで示すように、軒天換気材１を軒先に取り付ける際に、ビスＢ３を挿通させるための孔である。取付用孔３１２にビスＢ３を挿通するためには、後述の第２部材３の取付作業用孔３２２１Ａ、及び側板部２３の取付作業用孔２３１を介して、ビスＢ３を取付用孔２４１、３１２に挿通させる。また、取付用孔３１３は、軒天換気材１を壁際に取り付ける際に、ビスＢ３を挿通させるための孔である。取付用孔３１３にビスＢ３を挿通するためには、後述の第２部材３の取付作業用孔３３１、及び換気板部２２の取付作業用孔２２１Ｂを介して、ビスＢ３を取付用孔２４２、３１３に挿通させる。
【００３７】
（軒天換気材１の第２部材３の構成：横板部３２）
図６から９を用いて、横板部３２の構成を詳細に説明する。横板部３２は、左右方向に延びる長尺状の部材である。横板部３２は、上板部３１の前縁から下方に向かって垂直に延びるように形成された、その板面が前後方向を向く板状の上側横板部３２１と、上側横板部３２１の下縁から延在するように、上側横板部３２１の下方に形成された段部３２２とを有する。段部３２２は、水平方向において内側（前後方向において後側）に（上板部３１の前縁Ｋ１６より内側に）入り込むように形成されている。より具体的に言えば、段部３２２は、上側横板部３２１の下縁Ｋ１０から後方に向かって水平に延設された板状の上側段部３２２１と、上側段部３２２１の後縁Ｋ１２から前下方に向かって直線状に延設された板状の傾斜部３２２２とを有する。上側段部３２２１には、その中央部に、貫通孔である取付作業用孔３２２１Ａが形成されている。なお、取付作業用孔３２２１Ａは、左右方向において、取付用孔３１２、３１３と略同一の位置に形成されている。また、取付作業用孔３２２１Ａは、略円形であり、同じく円形の取付用孔３１２、３１３よりも直径が大きくなっている。傾斜部３２２２は、水平方向において内側に（上板部３１の前縁Ｋ１６より内側に）入り込むように形成されているとともに、下方に向かって水平方向外側に張り出すように形成されている。なお、本実施形態では、第２部材３の横板部３２に段部３２２を設けるようにしているが、この段部３２２に代えて、上側横板部３２１の下縁Ｋ１０と後述する遮蔽板部３３の前縁（傾斜部３２２２の下縁）Ｋ１１とを平面で繋ぐ傾斜部、すなわち水平方向内側（前後方向後側）に入り込むように設けられた（後下方へ延設する）傾斜部としてもよく、この傾斜部に通気孔を設けるようにしてもよい。このように、段部３２２を設けることにより、傾斜部３２２２と外壁１０２又は鼻隠し板１０６との間に空間を形成することができ、外気を傾斜部３２２の通気孔３２２２Ａから有効に取り込むことができる。
【００３８】
図３で示すように、第２部材３が第１部材２と組み付けられたときに、第１部材２における側板部２３と取付板部２４の前部分は、第２部材３における上板部３１、上側横板部３２１、及び上側段部３２２１で囲まれた空間内に入り込むようになっている。これによって、第１部材２の換気板部２２は、上下方向において、傾斜部３２２２の上端部と略同一の位置に配置される。
【００３９】
傾斜部３２２２は、第２部材３が第１部材２と組み付けられたときに、換気板部２２より下方の位置に通気孔３２２２Ａが形成されている。通気孔３２２２Ａは、左右方向に長い正面視で四角形の貫通孔であり、左右方向に所定間隔を空けて（等間隔で）、長手方向にわたって、複数個形成されている。この通気孔３２２２Ａからの空気が、第１部材２の換気孔２２１を通って、軒天井側通気口Ｏ１に流入するようになっている。なお、上述したように、傾斜部３２２２は、下方に向かって水平方向外側（前後方向前側）に張り出すように形成されているため、前方から通気孔３２２２Ａが視認し難く、かつ、後述の遮蔽板部３３によって、下方からも視認できないため、これによって、美観を向上させることができる。また、傾斜部３２２２に通気孔３２２２Ａを設けるようにしたので、垂直面に通気孔を設ける場合より、開口面積を大きくすることができる。
【００４０】
（軒天換気材１の第２部材３の構成：遮蔽板部３３）
図６から図９を用いて遮蔽板部３３の構成を詳細に説明する。遮蔽板部３３は、左右方向に延びる長尺状の板状部材である。遮蔽板部３３は、横板部３２（傾斜部３２２２）の下縁Ｋ１１から前方に水平に延設されるように形成されている。遮蔽板部３３は、その後部が屈曲位置Ｋ１５で上側に折り返されて二重に形成されている（その後縁Ｋ１４が屈曲位置Ｋ１５よりも前方に位置するようになっている）。遮蔽板部３３の屈曲位置Ｋ１５は、上板部３１の屈曲位置Ｋ１３よりも後方に位置するようになっている。図３で示すように、第２部材３が第１部材２と組み付けられたときに、遮蔽板部３３は、第１部材２における換気板部２２と所定の間隔を空けて略平行に配置されるようになっており、これによって、遮蔽板部３３の屈曲位置Ｋ１５と換気板部２２との間に、外部側通気口Ｏ２が形成されるようになっている。更に、遮蔽板部３３は、その後部の屈曲位置Ｋ１５が換気板部２２における換気孔２２１よりも後方に位置するようになっており、これによって、外部側通気口Ｏ２から流入した空気が屈曲して換気孔２２１に流入するようになっており、炎や雨等が換気孔２２１に侵入し難くなっている。更に、遮蔽板部３３によって、軒天換気材１の外部（下方）から換気孔２２１が視認し難くなっており、美観を向上させることができる。
【００４１】
なお、上述したように、傾斜部３２２２には、通気孔３２２２Ａが形成されている。これによって、第１部材２の換気板部２２の下面と、傾斜部３２２２の後面と、遮蔽板部３３の上面との間の内部空間Ｏ３は、外部側通気口Ｏ２を介して通気されるだけでなく、通気孔３２２２Ａを介しても通気されるようになっている。これによって生じる軒天換気材１内での空気の流れについては、後述する。
【００４２】
また、遮蔽板部３３には、前後方向で略中央の位置に、取付作業用孔３３１が形成されている。取付作業用孔３３１は、左右方向に並ぶように、所定の間隔を空けて（例えば等間隔を空けて）複数個形成されており、左右方向において、取付用孔３１２、３１３と略同一の位置に形成されている。また、第１部材２と第２部材３とを組み付けた状態において、取付作業用孔３３１は、第１部材２の換気板部２２における取付作業用孔２２１Ｂの直下に位置するように形成される。取付作業用孔３３１は、略円形であり、同じく略円形である取付用孔３１２、３１３よりも、直径が大きくなっている。
【００４３】
（軒天換気材１の第２部材３の構成：左右側側板部３４）
図７から図９で示すように、第２部材３は、その左端と右端にそれぞれ、左右側側板部３４を有する。左右側側板部３４は、それぞれ、遮蔽板部３３における左側又は左側の縁Ｋ１７から上方に延設された第１左右側側板部３４２と、第１左右側側板部３４２の上縁Ｋ１８から外側に向かって水平に延設された第２左右側側板部３４１とを有する。第２左右側側板部３４１は、その外側端部において、屈曲位置Ｋ１９で上側に屈曲されて二重に形成されている。軒天換気材１は、建物１００の幅方向に複数個配置して使用する場合があるが、この場合に、第２左右側側板部３４１は、隣接する他の軒天換気材１の第２左右側側板部３４１と重ねて配置される。
【００４４】
（軒天換気材１の製造方法）
以下に、図２及び図３を用いて、軒天換気材１の製造方法を説明する。まず、第１部材２を製造するための一枚の金属板と、第２部材３を製造するための一枚の金属板とを用意する。そして、第１部材２を製造するための金属板に対して、換気孔群２２１Ａ、取付作業用孔２２１Ｂ、２３１、及び取付用孔２４１、２４２を形成する。その後、この金属板を、位置Ｋ１からＫ６で屈曲させて、第１部材２を製造する。また、第２部材３を製造するための金属板に対して、通気孔３２２２Ａ、取付作業用孔３２２１Ａ、及び取付用孔３１２、３１３を形成する。その後、この金属板を、位置Ｋ１０からＫ１３、Ｋ１５からＫ１９で屈曲させて、第２部材３を製造する。
【００４５】
その後、図２及び図３で示すように、第２部材３の後方から第２部材３の内部に、第１部材２を嵌め入れる。この嵌め入れた状態で、第１部材２における側板部２３と取付板部２４の前部分は、第２部材３における上板部３１、上側横板部３２１、及び上側段部３２２１で囲まれた空間内に入り込むようになっている。また、第１部材２の取付用孔２４１と第２部材３の取付用孔３１２とが重なった状態となり、第１部材２の取付用孔２４２と第２部材３の取付用孔３１３とが重なった状態となる。その後に、各係止板部３１１を内側に折り込むことで、係止板部３１１によって、第１部材２と第２部材３とを組み合わせた状態で固定（組み付けた状態）にする。この様にして、本実施形態に係る軒天換気材１を製造する。
【００４６】
（軒天換気材１の際野縁１０７への取り付け方）
以下に、図１Ａ、図１Ｂ、及び図２を用いて、軒天換気材１の際野縁１０７への取り付け方を説明する。まず、図１Ａ及び図２を用いて、軒天換気材１を軒先に取り付ける場合について説明する。まず、軒天換気材１における上板部３１の上面を、軒先際野縁１０７Ａの下面に接触するように配置する。ここで、軒天換気材１は、その前方が軒１０１の突出方向に向くように配置される。そして、第２部材３の取付作業用孔３２２１Ａ、第１部材２の取付作業用孔２３１を介して、外側から軒天換気材１の内側にビスＢ３を入れ、第１部材２の取付用孔２４１及び第２部材３の取付用孔３１２に対してビスＢ３を打ち込む。これによって、第１部材２の取付用孔２４１及び第２部材３の取付用孔３１２を介して、ビスＢ３が軒先際野縁１０７Ａに打ち込まれ、軒天換気材１を軒先際野縁１０７Ａに取り付けることができる。
【００４７】
次に、図１Ｂ及び図２を用いて、軒天換気材１を壁際に取り付ける場合について説明する。まず、軒天換気材１における上板部３１の上面を、軒元際野縁１０７Ｂの下面に接触するように配置する。ここで、軒天換気材１は、その前方が軒１０１の突出方向と反対に向くように配置される。そして、第２部材３の取付作業用孔３３１、及び第１部材２の換気板部２２の取付作業用孔２２１Ｂを介して、外側から軒天換気材１の内側にビスＢ３を入れ、第１部材２の取付用孔３１３及び第２部材３の取付用孔２４２に対してビスＢ３を打ち込む。これによって、第１部材２の取付用孔３１３及び第２部材３の取付用孔２４２を介して、ビスＢ３が軒元際野縁１０７Ｂに打ち込まれ、軒天換気材１を軒元際野縁１０７Ｂに取り付けることができる。
【００４８】
（軒天換気材１における空気の流れ）
以下に、図１０を用いて、軒天換気材１における空気の流れを説明する。図１０は、軒天換気材１における空気の流れを示す図である。図１０で示すように、外部側通気口Ｏ２から内部空間Ｏ３に流入した空気は、その一部が換気孔２２１から内部空間Ｏ４に流入し、残りが通気孔３２２２Ａから外部に流れる。また、通気孔３２２２Ａから内部空間Ｏ３に流入した空気は、その一部が換気孔２２１から内部空間Ｏ４に流入し、残りが外部側通気口Ｏ２から外部に流れる。そして、内部空間Ｏ４に流入した空気は、軒天井側通気口Ｏ１を介して、軒天井裏１００Ａに流入し、これによって、軒天井裏１００Ａの換気が行われる。
【００４９】
本実施形態では、通気孔３２２２Ａや外部側通気口Ｏ２から流入した空気は、屈曲して換気孔２２１に入り込むため、炎や雨等が換気孔２２１に入り込み難くなり、軒天井裏１００Ａに炎や雨等が侵入することを防止することができる。このため、軒天換気材１に取り付ける加熱膨張部材２５の配置数を少なくすることができる。また、通気孔３２２２Ａからの気流は外部側通気口Ｏ２と換気孔２２１とに分岐し、外部側通気口Ｏ２からの気流は通気孔３２２２Ａと換気孔２２１とに分岐する。この様に、軒天換気材１内に流入した空気の一部を外部に排出することができるため、軒天換気材１内の風圧を小さくすることができる。これによって、通気孔３２２２Ａや外部側通気口Ｏ２から侵入した雨や炎が軒天井側通気口Ｏ１から軒天井裏１００Ａに侵入することを効果的に防止することができる。
【００５０】
（変形例）
本実施形態では、段部３２２の傾斜部３２２２の傾きが、下方に向かって水平方向外側に張り出すように形成されているが、下方に向かって水平方向内側に入り込むように（上縁Ｋ１２が下縁Ｋ１１よりも外側に位置するように）形成されてもよい。この構成によっても、通気孔３２２２Ａが前方から視認し難くすることができる。なお、この構成では、通気孔３２２２Ａが下方からは視認できるため、下方からも視認できない本実施形態の方が、より外観がよい。
【符号の説明】
【００５１】
１                      軒天換気材
２                      第１部材
２１                    溝部
２１                    開口
２２                    換気板部
２２１                  換気孔
２３                    側板部
２４                    取付板部
２５                    加熱膨張部材
３                      第２部材
３１                    上板部
３２                    横板部
３２２                  段部
３２２２                傾斜部
３２２２Ａ              通気孔
３３                    遮蔽板部
１００Ａ                軒天井裏
１０８                  軒天井板材
【図１Ａ】
0006480810.tif 000002
【図１Ｂ】
0006480810.tif 000003
【図２】
0006480810.tif 000004
【図３】
0006480810.tif 000005
【図４】
0006480810.tif 000006
【図５】
0006480810.tif 000007
【図６】
0006480810.tif 000008
【図７】
0006480810.tif 000009
【図８】
0006480810.tif 000010
【図９】
0006480810.tif 000011
【図１０】
0006480810.tif 000012